(57)【特許請求の範囲】
【請求項１】
車両バンパのバンパカバー内でバンパレインフォースメントの前面に配設され且つチャンバ空間が内部に形成されるチャンバ部材と、前記チャンバ空間内の圧力を検出する圧力センサと、を備え、当該圧力センサの検出結果に基づいて前記バンパカバーへの衝突を検知するように構成された車両用衝突検知装置において、
前記バンパカバー内の車幅方向端部に配置され、前記バンパカバーの車幅方向端部への衝突に対して、前記チャンバ空間を圧縮する方向に前記チャンバ部材を変形させる補強部を備え、
前記補強部は、前記チャンバ部材と同じ材料により前記チャンバ部材と一体成形され、前記チャンバ部材から前記チャンバ部材が配置されていない車幅方向端部にまで延伸していることを特徴とする車両用衝突検知装置。
【請求項２】
前記補強部は、前記チャンバ部材以上の剛性を有し、前記チャンバ部材の車幅方向端部前面から前記バンパカバーの車幅方向端部に向かって延在している請求項１に記載の車両用衝突検知装置。
【請求項３】
前記補強部は、車両前方側及び車両後方側の少なくとも一方に延びるリブを有する請求項１又は２の何れか一項に記載の車両用衝突検知装置。
【請求項４】
前記補強部は、前記チャンバ部材の車幅方向端部から前記バンパカバーの車幅方向端部に向かう延伸部分の延伸方向直交断面がコの字形状となっている請求項１〜３の何れか一項に記載の車両用衝突検知装置。
【請求項５】
車両バンパのバンパカバー内でバンパレインフォースメントの前面に配設され且つチャンバ空間が内部に形成されるチャンバ部材と、前記チャンバ空間内の圧力を検出する圧力センサと、を備え、当該圧力センサの検出結果に基づいて前記バンパカバーへの衝突を検知するように構成された車両用衝突検知装置において、
前記バンパカバー内の車幅方向端部に配置され、前記バンパカバーの車幅方向端部への衝突に対して、前記チャンバ空間を圧縮する方向に前記チャンバ部材を変形させる補強部を備え、
前記補強部は、前記バンパカバーと同じ材料により前記バンパカバーと一体成形され、少なくとも一部が前記チャンバ部材が配置されていない車幅方向端部に配置されていることを特徴とする車両用衝突検知装置。
【請求項６】
前記補強部は、前記バンパカバーに設けられ、前記バンパカバーの車幅方向端部における車両前方部位、車両上方部位、及び、車両下方部位の少なくとも一部位に配置される請求項５に記載の車両用衝突検知装置。
【請求項７】
前記チャンバ部材の車幅方向端部は、前記バンパレインフォースメントの車幅方向端部から車両前方に離間している請求項１〜６の何れか一項に記載の車両用衝突検知装置。
【請求項８】
前記補強部及び前記チャンバ部材は、パーティングラインが前記チャンバ部材の車幅方向端部で前記チャンバ部材の車両前方に移動するように金型を配置してブロー成形し、肉厚部分を前記チャンバ部材の車幅方向端部の前面側に形成すると共に、前記肉厚部分を車幅方向に延長して形成されている請求項１に記載の車両用衝突検知装置。
【発明の詳細な説明】
【技術分野】
【０００１】
本発明は、車両への歩行者等の衝突を検知する衝突検知装置に関するものである。
【背景技術】
【０００２】
近年、車両の安全性に関して、事故時に車両の搭乗者の安全性を確保するだけでなく、車両に歩行者が衝突したときに歩行者へのダメージを軽減することも求められている。そこで、歩行者の車両への衝突を検知して、例えばアクティブフードやカウルエアバッグ等の歩行者保護装置を作動させて、車両に衝突してボンネットに倒れ込んできた歩行者が受ける傷害値（歩行者が受ける衝撃）を低減するシステムが提案されている。
【０００３】
例えば、特開２００６−１１７１５７号公報（特許文献１）に記載されているように、車両バンパ内でバンパレインフォースメントの前面にチャンバ部材が配設され、チャンバ空間内の圧力変化を圧力センサで検出することにより車両バンパへの歩行者等の衝突を検知するように構成された車両用衝突検知装置が提案されている。つまり、衝突によりチャンバ部材が変形し、それによるチャンバ空間内の圧力変化に基づいて歩行者等の衝突を検知している。
【先行技術文献】
【特許文献】
【０００４】
【特許文献１】特開２００６−１１７１５７号公報
【発明の概要】
【発明が解決しようとする課題】
【０００５】
ところで、上記のような車両用衝突検知装置において、チャンバ部材は、車両要件により車両バンパの車幅方向端部に設置することができない場合が多い。この場合、車両バンパの車幅方向端部への衝突に対し、バンパカバーの当該衝突部分のみが変形し（凹み）、そこに延在しないチャンバ部材は当該衝突により変形しがたい。つまり、チャンバ部材を用いた車両用衝突検知装置では、チャンバ部材が延在しない車両バンパの車幅方向端部への衝突を検知することが困難であるという問題があった。
【０００６】
本発明は、このような事情に鑑みて為されたものであり、車両バンパの車幅方向端部への衝突を検知可能な車両用衝突検知装置を提供することを目的とする。
【課題を解決するための手段】
【０００７】
上記目的を達成するためになされた請求項１に記載の発明は、車両バンパのバンパカバー内でバンパレインフォースメントの前面に配設され且つチャンバ空間が内部に形成されるチャンバ部材と、チャンバ空間内の圧力を検出する圧力センサと、を備え、当該圧力センサの検出結果に基づいてバンパカバーへの衝突を検知するように構成された車両用衝突検知装置において、バンパカバー内の車幅方向端部に配置され、バンパカバーの車幅方向端部への衝突に対して、チャンバ空間を圧縮する方向にチャンバ部材を変形させる補強部を備え、補強部は、チャンバ部材と同じ材料によりチャンバ部材と一体成形され、チャンバ部材からチャンバ部材が配置されていない車幅方向端部にまで延伸していることを特徴とする。
【０００８】
この構成によれば、補強部が車幅方向端部に配置されていることにより、バンパカバーの車幅方向端部への衝突に対して、補強部がチャンバ部材を圧縮方向に変形させる。補強部は、少なくとも、チャンバ部材が延在しないバンパカバー内の車幅方向端部に配置されている。これにより、チャンバ空間内の圧力が変化し、車両バンパの車幅方向端部への衝突を検知することができる。
また、この構成によれば、部品点数や作業工数を増やすことなく補強部を形成することができる。
【０００９】
請求項２に記載の発明は、補強部が、チャンバ部材以上の剛性を有し、チャンバ部材の車幅方向端部前面からバンパカバーの車幅方向端部に向かって延在していることを特徴とする。
【００１０】
この構成によれば、補強部は、車幅方向の一方側（チャンバ部材）にのみ接続されているため、衝突に対して、自身の形状を保ちつつ全体的に車両後方へ移動する。すなわち、補強部は、衝突に対して、変形する（凹む）よりも全体的に車両後方へ移動する。この補強部の移動に伴い、チャンバ部材の車幅方向端部前面も車両後方へ移動する。つまり、衝突に対して、チャンバ部材の車幅方向端部が車両後方に押し潰され、チャンバ空間は圧縮される。これにより、車幅方向端部への衝突が検知される。
【００１５】
請求項３に記載の発明は、補強部が、車両前方側及び車両後方側の少なくとも一方に延びるリブを有することを特徴とする。
【００１６】
この構成によれば、補強部の延伸部分の剛性が大きくなり、車幅方向端部に対するより確実な衝突検知が可能となる。
【００１７】
請求項４に記載の発明は、補強部が、チャンバ部材の車幅方向端部からバンパカバーの車幅方向端部に向かう延伸部分の延伸方向直交断面がコの字形状となっていることを特徴とする。
【００１８】
この構成によれば、補強部の成形が容易である上、補強部の剛性を大きくできる。
請求項５に記載の発明は、車両バンパのバンパカバー内でバンパレインフォースメントの前面に配設され且つチャンバ空間が内部に形成されるチャンバ部材と、前記チャンバ空間内の圧力を検出する圧力センサと、を備え、当該圧力センサの検出結果に基づいて前記バンパカバーへの衝突を検知するように構成された車両用衝突検知装置において、前記バンパカバー内の車幅方向端部に配置され、前記バンパカバーの車幅方向端部への衝突に対して、前記チャンバ空間を圧縮する方向に前記チャンバ部材を変形させる補強部を備え、前記補強部は、前記バンパカバーと同じ材料により前記バンパカバーと一体成形され、少なくとも一部が前記チャンバ部材が配置されていない車幅方向端部に配置されていることを特徴とする。
この構成によれば、部品点数や作業工数の増加が防止されると共に、バンパカバー車幅方向端部の剛性が大きくなり、衝突検知が可能となる。
【００１９】
請求項６に記載の発明は、補強部が、バンパカバーに設けられ、補強部は、バンパカバーの車幅方向端部における車両前方部位、車両上方部位、及び、車両下方部位の少なくとも一部位に配置されていることを特徴とする。
【００２０】
この構成によれば、バンパカバーの車幅方向端部の剛性が大きくなり、当該端部への衝突に対して、補強部が延在する部分が全体的に車両後方に移動する。これに伴い、チャンバ部材の車両方向端部は、直接的又は間接的車両後方に押し潰される。直接的とは、補強部とチャンバ部材が当接して、補強部が直接チャンバ部材を押し潰すことである。間接的とは、補強部とチャンバ部材は当接しないものの、補強部が全体的に車両後方へ移動することで、チャンバ部材前方のバンパカバーが車両後方へ引っ張られ、バンパカバーによりチャンバ部材を押し潰すことである。この構成によっても、車幅方向端部への衝突を検知することができる。
【００２５】
請求項７に記載の発明は、チャンバ部材の車幅方向端部が、バンパレインフォースメントの車幅方向端部から車両前方に離間していることを特徴とする。
【００２６】
この構成によれば、チャンバ部材の車幅方向端部が車両後方に押し潰された際における、バンパレインフォースメントの車幅方向端部の角とチャンバ部材とが強く接触することによるチャンバ部材の破損を防止することができる。
【図面の簡単な説明】
【００２７】
【図１】第一実施形態の車両用衝突検知装置１を平面視にて示す全体構成図である。
【図２】第一実施形態の車両用衝突検知装置１を横から見た要部断面図である。
【図３】第一実施形態における衝突時の車両バンパの車幅方向端部を示す模式平面図である。
【図４】第二実施形態の車両バンパの車幅方向端部を示す模式平面図である。
【図５】図４におけるＡ−Ａ線断面図である。
【図６】第二実施形態のその他の態様の図４におけるＡ−Ａ線断面図である。
【図７】第三実施形態の車両バンパの車幅方向端部を示す模式平面図である。
【図８】第四実施形態の車両バンパの車幅方向端部を示す模式平面図である。
【図９】車両後方側から見た第四実施形態の車両バンパの車幅方向端部を示す模式図である。
【図１０】第四実施形態のその他の態様を示す模式平面図である。
【図１１】車両後方側から見た第四実施形態のその他の態様を示す模式図である。
【図１２】車両後方側から見た第四実施形態のその他の態様を示す模式図である。
【図１３】車両後方側から見た第四実施形態のその他の態様を示す模式図である。
【発明を実施するための形態】
【００２８】
次に、実施形態を挙げ、本発明をより詳しく説明する。
【００２９】
＜第一実施形態＞
第一実施形態について図１〜図３を参照して説明する。車両用衝突検知装置１は、図１に示すように、車両バンパ２内に配設されたチャンバ部材７と、圧力センサ８と、補強部９と、歩行者保護装置電子制御ユニット（以下、電子制御ユニットをＥＣＵと略記する）１０と、を主体として構成されている。
【００３０】
車両バンパ２は、図１，２に示すように、バンパカバー３、バンパレインフォースメント４、サイドメンバ５、アブソーバ６、チャンバ部材７、及び補強部９を主体として構成されている。
【００３１】
バンパカバー３は、車両前端にて車幅方向（左右方向）に延び、バンパレインフォースメント４、アブソーバ６、及びチャンバ部材７を覆うように車体に取り付けられる樹脂（例えば、ポリプロピレン）製カバー部材である。
【００３２】
バンパレインフォースメント４は、バンパカバー３内に配設されて車幅方向に延びる金属製の構造部材であって、図２に示すように、内部中央に梁が設けられた日の字状断面を有する中空部材である。
【００３３】
サイドメンバ５は、車両の左右両側に位置して車両前後方向に延びる一対の金属製部材であり、その前端に上述したバンパレインフォースメント４が取り付けられる。
【００３４】
アブソーバ６は、バンパカバー３内でバンパレインフォースメント４の前面４ａの下方側に取り付けられる車幅方向に延びる発泡樹脂製部材であり、車両バンパ２における衝撃吸収作用を発揮する。
【００３５】
チャンバ部材７は、バンパカバー３内でバンパレインフォースメント前面４ａの上方側に配置され、ポリエチレンなどの軟質樹脂からなる車幅方向に延びる略箱状の中空部材である。チャンバ部材７の後端部には下方へ延設された舌状片１１が設けられ、チャンバ部材７は、その舌状片１１を介してリベット止め等によってバンパレインフォースメント前面４ａに対して固定される。より詳細には、チャンバ部材７は、本体部７１と、延設部７２とを備えている。
【００３６】
本体部７１は、チャンバ部材７の大部分を占めており、車幅方向に延びて内部に厚さ数ｍｍの軟質樹脂の壁面によって囲まれた略密閉状のチャンバ空間７ａを形成している。本体部７１は、衝突により変形する部位であり、本体部７１内の圧力変化がチャンバ空間７ａの圧力変化として検出される。本体部７１がチャンバ部材７の機能を発揮する本質的部分である。
【００３７】
ここで、本体部７１の車幅方向端部は、外方に凸状に膨らんだ形状となっている。つまり、チャンバ部材７（本体部７１）の車幅方向の一端及び他端は、バンパレインフォースメント前面４ａから車両前方に離間している。両者が離間して配置されていることにより、チャンバ部材７の車幅方向端部での変形があった際、チャンバ部材７の当該端部がバンパレインフォースメント４の角部により損傷することが軽減又は防止される。
【００３８】
延設部７２は、軟質樹脂によって本体部７１と一体的に成形され、本体部７１の車幅方向の略中央部分からバンパレインフォースメント上面４ｂの上方に延び、車体前方側から車体後方側へ延設された部位である。延設部７１ａの内部空間は、本体部７１の内部空間と連通しており、チャンバ空間７ａの一部分を形成している。また、延設部７２の上部には、内部空間（すなわち、チャンバ空間７ａ）を外部に連通させる差込口７２ａが設けられている。
【００３９】
延設部７２上部における差込口７２ａ近傍には、インサート部材７２ｂがインサート成形されている。インサート成形は、射出成形法の一つであり、インサート部材７２ｂを金型内に設置し、軟質性樹脂を注入することによりチャンバ部材７と一体化される。インサート部材７２ｂは、チャンバ部材７の材質である軟質性樹脂よりも硬質の材質、例えば、鉄等の金属や、ナイロン、ＰＢＴ（ポリブチレンテレフタレート）等の硬質樹脂から成る。インサート部材７２ｂは、後述する圧力センサ８をチャンバ部材７に取り付けるための部材である。つまり、圧力センサ８は、インサート部材７２ｂにネジ止めされる。インサート部材７２ｂには、差込口７２ａに対応した貫通孔が設けられている。
【００４０】
圧力センサ８は、気体圧力を検出可能なセンサ装置であり、チャンバ部材７に組付けられてチャンバ空間７ａ内の圧力変化を検出可能に構成されている。詳細には、圧力センサ８は、センサ本体８１と圧力導入管８２とを備えている。センサ本体８１は、チャンバ部材７の外部にあって、圧力検出用のセンサ素子等が設けられた基板等を収容した部位である。センサ本体８１は、圧力に比例した電圧信号を出力し、信号線１０ａを介して歩行者保護装置ＥＣＵ１０へ信号送信する。センサ本体８１は、フランジ部分が延設部７２のインサート部材７２ｂにネジ止めされて固定されている。
【００４１】
圧力導入管８２は、チャンバ空間７ａの圧力をセンサ本体８１に導入する略円筒状の管であり、センサ本体８１から下方に伸びている。圧力導入管８２は、チャンバ部材７の延設部７２に設けられた差込口７２ａに差し込まれている。センサ本体８１は、圧力導入管８２を介してチャンバ空間７ａの圧力を検出する。
【００４２】
歩行者保護装置ＥＣＵ１０は、図示しない歩行者保護装置（たとえば公知の歩行者保護用のエアバッグやフード跳ね上げ装置など）の起動制御を行うための電子制御装置であり、圧力センサ８から出力される信号が伝送線１０ａを介して入力されるように構成されている。歩行者保護装置ＥＣＵ１０は、圧力センサ８における圧力検出結果に基づいて、車両バンパ２へ歩行者（すなわち、人体）が衝突したか否かを判別する処理を実行する。
【００４３】
補強部９は、板状であり、チャンバ部材７と同じ材料（ポリエチレン）により、チャンバ部材７と一体成形されている。補強部９は、図１及び図３に示すように、チャンバ部材７の車幅方向端部前面からバンパカバー３の車幅方向端部に向けて延在している。つまり、補強部９は、チャンバ部材７の前面に位置する接続部９１と、チャンバ部材７の車幅方向端部からバンパカバー３の車幅方向端部に向かって延伸する延伸部９２と、を有している。補強部９の剛性は、チャンバ部材７の剛性以上となっている。つまり、補強部９の厚みは、チャンバ部材７の肉厚以上に形成されている。
【００４４】
ここで、本実施形態における補強部９とチャンバ部材７の成形方法を説明する。チャンバ部材７は、ブロー成形により形成される。本実施形態では、チャンバ部材７は、ブロー成形におけるパーティングライン（ＰＬ）がチャンバ部材７（本体部７１）の車両後方側に位置するように形成される。つまり、チャンバ部材７は、深さ（パーティングラインの位置）が異なる１組の金型を用いて成形する。チャンバ部材７は、金型内の樹脂に空気を入れ込み、樹脂を膨張させて成形するため、金型深さが浅い方（パーティングラインから近い方）に形成される壁面の肉厚が大きくなる。
【００４５】
ここで、本実施形態において、このパーティングラインが、チャンバ部材７の車幅方向端部でチャンバ部材７の車両前方に移動するように金型を配置し、ブロー成形する。つまり、パーティングラインが車幅方向端部でチャンバ部材７の前面（車両前方側）に移動するように金型を配置することで、肉厚部分を前面側に移動させることができる。チャンバ部材７は、パーティングラインが車幅方向中央部で車両後方側に位置し、車幅方向端部で車両前方側に位置している。そして、この肉厚部分をさらに車幅方向に延長して形成することで、チャンバ部材７の前面及び車幅方向端部に向かって延伸する補強部９が形成される。これによれば、チャンバ部材７の作製と同時に、容易に補強部９を形成することができる。なお、補強部９の厚みは、チャンバ部材７（本体部７１）の最大肉厚と同等のおよそ３〜４ｍｍとなる。また、接続部９１の車幅方向の幅は、およそ１５０ｍｍとなるように形成するのが好ましい。
【００４６】
第一実施形態の作用効果について説明する。図３に示すように、本実施形態において車両バンパ２の車幅方向端部に衝突物Ｘが衝突した場合、バンパカバー３の衝突した部位が車両後方に凹む。同時に、チャンバ部材７にのみ接続され且つチャンバ部材７以上の剛性を有する補強部９は、バンパカバー３の凹みにより全体的に車両後方に押し込まれる。衝突では、最初にバンパカバー３に衝突するため、補強部９が受ける衝撃は小さくなる。また、補強部９は、両端固定されておらず且つ自身の剛性以下のチャンバ部材７の前面に接続されているため、車両後方への移動が可能となっている。このような構成により、衝突に対して補強部９は全体的に車両後方に移動する。なお、衝突により補強部９が多少変形する場合もあり得るが、その場合でも補強部９は全体として車両後方に移動する。
【００４７】
そして、補強部９の接続部９１は、チャンバ部材７の前面を車両後方に押し込み、チャンバ部材７の車幅方向端部が変形（凹み）する。つまり、チャンバ空間７ａは圧縮され、チャンバ空間７ａ内の圧力は上昇する。圧力センサ８は、この圧力変化を検出し、歩行者保護装置ＥＣＵ１０に送信する。このように、補強部９は、車幅方向端部への衝突に対して、チャンバ部材７をチャンバ空間７ａが圧縮する方向に変形させる。これにより、チャンバ空間７ａ内の圧力が変化し、歩行者保護装置ＥＣＵ１０は、衝突を検知することができる。本実施形態によれば、歩行者検出範囲をチャンバ部材７の延在しない範囲にまで拡大することができる。
【００４８】
また、本実施形態では、補強部９とチャンバ部材７とが同じ材料で一体成形されるため、工数の増加を防ぎ、製造効率の面でも有利である。さらに、車幅方向端部でバンパレインフォースメント４とチャンバ部材７が離間して配置されているため、補強部９により車幅方向端部への衝突に対してもチャンバ部材７が変形する本構成において、チャンバ部材７の当該端部の損傷を軽減・防止することができる。
【００４９】
なお、補強部９がない場合、バンパカバー３が部分的に変形する（凹む）だけで、チャンバ部材７はほとんど変形せず、チャンバ空間７ａに衝突の有無を判別できるほどの圧力変化は生じない。
【００５０】
＜第二実施形態＞
第二実施形態について図４及び図５を参照して説明する。第二実施形態は、第一実施形態と補強部９の形状が異なるだけであり、第一実施形態と同構成については同符号を付して説明は省略する。
【００５１】
図４及び図５に示すように、補強部９０は、接続部９１と、延伸部９２１と、を備えている。補強部９０は、チャンバ部材７と同じ材料によりチャンバ部材７と一体成形されている。延伸部９２１は、チャンバ部材７の車幅方向端部からバンパカバー３の車幅方向端部に向かって延伸している。
【００５２】
延伸部９２１は、図５に示すように、リブ９２１ａを２つ有している。両リブ９２１ａは、延伸部９２１に沿って延びる板状であり、延伸部９２１の車両上下方向端部から車両後方側に向かって突出している。つまり、延伸部９２Ａの延伸方向直交断面（図４のＡ−Ａ線断面図）の形状は、コの字形状となっている。形状により断面二次モーメントを大きくすることで延伸部９２１の剛性は大きくなり、車幅方向端部への衝突に対して補強部９０が全体的に車両後方に移動しやすくなる。つまり、衝突に対して、より確実にチャンバ部材７を変形させることができる。また、上記コの字形状は比較的成形しやすく、成形性の面でも適している。
【００５３】
なお、延伸部９２１は、リブ９２１ａを１つ以上有すればよく、例えば、延伸方向直交断面がＴ字形状となっていてもよい。また、延伸部９２１はリブ９２１ａを３つ以上有していてもよく、例えば図６に示すように、延伸方向直交断面が櫛歯形状となっていてもよい。これにより、延伸部９２１の剛性をより大きくすることができる。
【００５４】
＜第三実施形態＞
第三実施形態について図７を参照して説明する。第三実施形態は、第一又は第二実施形態の補強部と比べ、材料及び成形方法が異なっている。したがって、構成としては、図１及び図３と同様である。第一実施形態と同様の構成については、同符号を付して説明は省略する。
【００５５】
第三実施形態の補強部９００は、図７に示すように、板状であり、第一実施形態と異なり、硬質樹脂を材料としている。硬質樹脂とは、チャンバ部材７に用いられる樹脂よりも剛性（ここではヤング率）が大きい樹脂であり、例えばポリプロピレン（ＰＰ）やポリブチレンテレフタレート（ＰＢＴ）である。
【００５６】
補強部９００とチャンバ部材７とは、インサート成形により一体成形される。インサート成形は、射出成形法の一つであり、予め成形された補強部９００を金型内に設置し、軟質樹脂を注入することによりチャンバ部材７と一体化される。補強部９００の配置は、図１及び図７に示すように、第一実施形態と同様（接続部と延伸部を有する）である。これにより、第一実施形態と同様の効果が得られる。また、補強部９００の剛性を大きくすることができる。なお、補強部９００の材料は、硬質樹脂に限られず、アルミニウム等の金属でもよい。これによっても、補強部９００の剛性を大きくすることができる。
【００５７】
また、補強部９００は、第二実施形態のように、延伸部にリブ９２１ａを設けてもよい。これにより、第二実施形態と同様の効果が得られる。補強部９００の延伸方向直交断面は、例えば、コの字形状、Ｔ字形状、又は、櫛歯形状であってもよい。
【００５８】
＜第四実施形態＞
第四実施形態について図８及び図９を参照して説明する。なお、第一実施形態と同様の構成については、同符号を付して説明は省略する。
【００５９】
第三実施形態における補強部９Ａは、図８及び図９に示すように、バンパカバー３の内側で、バンパカバー３に取り付けられている。取り付けは、例えば、ねじ止めや嵌め込みなどでよい。補強部９Ａは、板状の補強部材であり、硬質樹脂を材料としている。補強部９Ａは、バンパカバー３の車幅方向端部であって、車両前方部位に配置されている。換言すると、補強部９Ａは、バンパカバー３の前面内側において、チャンバ部材７の車幅方向端部の車両側方側に配置されている。補強部９Ａは、左右の長さがチャンバ部材７の車幅方向端部からバンパカバー３の車幅方向端部まで延在し、上下の幅はチャンバ部材７と同等となっている。
【００６０】
補強部９Ａは、バンパカバー３の車幅方向端部におけるチャンバ部材７が延在しない部分の剛性を大きくする。これにより、車幅方向端部への衝突に対し、部分的ではなく、バンパカバー３の車幅方向端部が全体的に車両後方に押し込まれやすくなる。当該車幅方向端部が全体的に車両後方へ移動することで、チャンバ部材７の前方に位置するバンパカバー３も車両後方に引っ張られる。これにより、チャンバ部材７の車幅方向端部がバンパカバー３に押され、潰れる方向に変形する。つまり、チャンバ部材７は、チャンバ空間７ａが圧縮する方向に変形し、衝突が検知される。
【００６１】
バンパカバー３に設けられる補強部９Ａは、上記に限られない。例えば、図１０及び図１１に示すように、補強部９Ａは、バンパカバー３の車幅方向端部における車両上方部位に配置されてもよい。これによっても、衝突の際、バンパカバー３の車幅方向端部が全体的に後方に移動しやすくなる。また、同様に、図１２に示すように、補強部９Ａは、バンパカバー３の車幅方向端部における車両下方部位に配置されてもよい。
【００６２】
また、図１３に示すように、補強部９Ａは、バンパカバー３の車幅方向端部における車両前方部位、車両上方部位、及び、車両下方部位に配置されてもよい。これにより、バンパカバー３の車幅方向端部の剛性がさらに大きくなり、衝突に対して当該端部全体が後方に移動するようになる。そして、チャンバ部材７前方のバンパカバー３が後方に引っ張られ、チャンバ部材７は潰れる方向に変形する。
【００６３】
なお、補強部９Ａは、チャンバ部材７の車幅方向端部前方にまで延伸していてもよい。補強部９Ａがチャンバ部材７端部の前方にまで位置することで、延伸部分（位置として延伸部９２に相当する部分）が後方に移動した際、チャンバ部材７前方の補強部９Ａが直接チャンバ部材７を車両後方へ押し込み、チャンバ部材７を変形させることができる。補強部９、９０、９００、９Ａは、少なくとも一部が、チャンバ部材７の延在しないバンパカバー３内の車幅方向端部に配置されている。
【００６４】
また、車両前方部位に補強部９Ａを設ける場合、補強部９Ａの上下方向の幅は、上記に限られず、例えばチャンバ部材７の幅以上でチャンバ部材７及びアブソーバ６の幅以下であってもよい。図１３に示すように、補強部９Ａの上下方向の幅は、例えばチャンバ部材７及びアブソーバ６の幅に揃えてもよい。ただし、図９に示すように、チャンバ部材７の幅に揃えるのが効率的である。また、補強部９Ａの材料は、アルミニウム等の金属でもよい。
【００６５】
また、補強部９Ａは、バンパカバー３と一体成形されていてもよい。このとき、補強部９Ａは、バンパカバー３と同じ材料であってもよい。これにより、部品点数や作業工数の増加が防止される。
【符号の説明】
【００６６】
１：車両用衝突検知装置、  ２：車両バンパ、
３：バンパカバー、  ４：バンパレインフォースメント、
５：サイドメンバ、  ６：アブソーバ、
７：チャンバ部材、  ８：圧力センサ、
９，９０，９００，９Ａ：補強部、  ９１：接続部、  ９２，９２１：延伸部、
９２１ａ：リブ、  １０：歩行者保護装置ＥＣＵ
【図１】
0005344256.tif 000002
【図２】
0005344256.tif 000003
【図３】
0005344256.tif 000004
【図４】
0005344256.tif 000005
【図５】
0005344256.tif 000006
【図６】
0005344256.tif 000007
【図７】
0005344256.tif 000008
【図８】
0005344256.tif 000009
【図９】
0005344256.tif 000010
【図１０】
0005344256.tif 000011
【図１１】
0005344256.tif 000012
【図１２】
0005344256.tif 000013
【図１３】
0005344256.tif 000014